【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
本体と、
該本体との関係において配置された一以上の接続ポートであって、少なくともその一つが隣接する構造的要素に結合することができる接続ポートと、
該接続ポートからノード・エレメントの物理的特徴の情報を受け取り、該物理的特徴が少なくとも一つの変化している特徴を含む、該本体内に配設されたコンピュータ・ユニットと
を備える、物理的モデルにおいて複数の構造的要素を組み立てるのに使用するためのノード・エレメント。
【請求項２】
ノード・エレメント情報を提供することができる通信装置を更に備える請求項１に記載のノード・エレメント。
【請求項３】
前記隣接する構造的要素が結合エレメントを含むことを特徴とする請求項１に記載のノード・エレメント。
【請求項４】
前記コンピュータ・ユニットが前記物理的特徴の情報を用いて前記ノード・エレメントのトポロジーを決定する、請求項１に記載のノード・エレメント。
【請求項５】
前記ノード・エレメントの中に配置されたセンサーから前記物理的特徴の情報を得る、請求項４に記載のノード・エレメント。
【請求項６】
前記結合エレメントに対する前記ノード・エレメントの動きと、前記接続ポートに対する回転の向きと、前記構成的要素の一つに対する前記ノード・エレメントの動きと、外にある空間的な向きの基準ポイントに対する前記ノード・エレメントの位置や動きと、前記ノード・エレメントにかかる外圧とのうちの少なくとも一つについての情報を探知するセンサーをさらに備える請求項１に記載のノード・エレメント。
【請求項７】
前記センサーが、回転センサーと、加速度計と、コンパスと、傾斜計と、磁力計と、ジャイロスコープとのうちの少なくとも一つを備える請求項６に記載のノード・エレメント。
【請求項８】
前記コンピュータ・ユニットが前記センサーから前記物理的特徴の情報を受け取るものである、請求項６に記載のノード・エレメント。
【請求項９】
前記センサーが前記ノード・エレメントの物理的特徴の変化に関する情報を記憶、あるいは提供する、請求項６に記載のノード・エレメント。
【請求項１０】
前記接続ポートの物理的特徴を操作するコントロール装置を更に備える請求項１に記載のノード・エレメント。
【請求項１１】
前記コントロール装置が、アクチュエータ、振動ユニット、または、発光ダイオードを備える、請求項１０に記載のノード・エレメント。
【請求項１２】
前記通信装置が前記コンピュータ・ユニットから前記構造的要素の一つにデータを転送する、請求項２に記載のノード・エレメント。
【請求項１３】
前記通信装置が前記コンピュータ・ユニットから外部のコンピュータ・システムにデータを提供する、請求項２に記載のノード・エレメント。
【請求項１４】
前記通信装置が前記外部のコンピュータ・システムと前記コンピュータ・ユニットの間で情報を交換する、請求項１３に記載のノード・エレメント。
【請求項１５】
前記接続ポートの少なくとも一つを通じて、前記ノード・エレメントへと、外部の電源から電力を転送することが可能な電力配送インターフェースを更に備える請求項２に記載のノード・エレメント。
【請求項１６】
前記通信装置が無線の送信機を備える請求項２に記載のノード・エレメント。
【請求項１７】
本体と、
該本体との関係において配置された第１と第２の接続ポートであって、該第１と第２の接続ポートの少なくとも一つが隣接する構造的要素に結合することができる第１と第２の接続ポートと、
該第１の接続ポートまたは該第２の接続ポートから結合エレメントの物理的特徴の情報を受け取り、該物理的特徴が少なくとも一つの変化している特徴を含む、該本体内に配設されたコンピュータ・ユニットと
を備える複数の構造的要素を組み立てるのに使用するための結合エレメント。
【請求項１８】
構造的要素に対する前記結合エレメントの動きと、前記接続ポートに対する回転の向きと、外にある空間的な向きの基準ポイントに対する前記結合エレメントの位置や動きと、前記結合エレメントにかかる外圧とのうちの少なくとも一つについての情報を探知するセンサーをさらに備える請求項１７に記載の結合エレメント。
【請求項１９】
前記センサーが、回転センサーと、加速度計と、コンパスと、傾斜計と、磁力計と、ジャイロスコープとのうちの少なくとも一つを備える請求項１８に記載の結合エレメント。
【請求項２０】
接続ポートを介して構造的要素に結合することができる少なくとも１つのノード・エレメントを含む物理的モデルであって、該ノード・エレメントが該ノード・エレメントの物理的特徴の情報を該接続ポートから受け取り、該物理的情報が少なくとも一つの変化している特徴を含む、コンピュータ・ユニットを備えるものである物理的モデルと、
コンピュータ・システムに記憶されたバーチャル・モデルであって、前記ノード・エレメントの物理的特徴の情報は前記物理的モデルから前記バーチャル・モデルへと電子的に提供されるものである、バーチャル・モデルと
を備えるハイブリッド・モデル・システム。
【請求項２１】
前記物理的特徴の情報がノード・エレメントのトポロジーに関連している請求項２０に記載のモデル・システム。
【請求項２２】
前記ノード・エレメントのコンピュータ・ユニットが、前記ノード・エレメントの中に配置されているか、あるいは前記ノード・エレメントに接続されているセンサーから前記物理的特徴の情報を受け取る、請求項２０に記載のモデル・システム。
【請求項２３】
前記コンピュータ・ユニット上で作動していて、前記バーチャル・モデルのコンピュータ・システム上で作動しており、ソフトウェアプログラムと通信しているソフトウェアプログラムを備える請求項２２に記載のモデル・システム。
【請求項２４】
前記コンピュータ・システムのソフトウェアプログラムがグラフィック・ディスプレイ視覚化ユニットを含む請求項２３に記載のモデル・システム。
【請求項２５】
前記視覚化ユニットが、前記物理的モデルの少なくとも一部、前記バーチャル・モデルの少なくとも一部、または、物理的モデルおよびバーチャル・モデルの両方の少なくとも一部のグラフィック・ディスプレイをユーザーに提供するものである、請求項２４に記載のモデル・システム。
【請求項２６】
前記視覚化ユニットが、構造情報と、エネルギー情報と、前記ハイブリッド・モデルの物理的な特性とのうちの少なくとも一つを表示する請求項２４に記載のモデル・システム。
【請求項２７】
前記バーチャル・モデルのコンピュータ・システムから前記物理的モデルのコンピュータ・ユニットへと情報を提供する通信システムを更に備える請求項２０に記載のモデル・システム。
【請求項２８】
前記コンピュータ・システムから前記ノード・エレメントに提供された情報が前記ノード・エレメントの中にあるか、あるいは隣接して置かれたコントロール装置を作動させるものである、請求項２７に記載のモデル・システム。
【請求項２９】
前記情報が前記コンピュータ・システムから無線で通信される請求項２８に記載のモデル・システム。
【請求項３０】
前記コントロール装置の作動が前記バーチャル・モデルのバーチャルな特徴に対応するものである、請求項２８に記載のモデル・システム。
【請求項３１】
結合エレメントであって、
本体と、
該結合エレメントの該本体との関係において配置された第１と第２の接続ポートと
を備える少なくとも一つの結合エレメントと、
ノード・エレメントであって、
本体と、
該ノード・エレメントの該本体との関係において配置されたノード接続ポートであっ  て、前記結合エレメントに結合することができるノード接続ポートと、
該ノード接続ポートから該ノード・エレメントの物理的特徴の情報を受け取り、該物理的特徴が少なくとも一つの変化している特徴を含む、該ノード・エレメントの本体内に配設されたコンピュータ・ユニットと
を備える少なくとも一つのノード・エレメントと
を備える複数の構造的要素を組み立てるのに用いられる構造モデル化キット。
【請求項３２】
前記ノード・エレメントと前記結合エレメントが、分子のモデルの少なくとも一部に対応するために結合される、請求項３１に記載のモデル化キット。
【請求項３３】
前記ノード・エレメントあるいは前記結合エレメントの少なくとも一つが外部のコンピュータ・システムに前記物理的特徴の情報を提供することができる通信装置を備える請求項３１に記載のモデル化キット。
【請求項３４】
バーチャル・モデルに物理的情報を組み込む方法であって、
接続ポートを介した構造的要素に結合することができる少なくとも１つのノード・エレメントを含む物理的モデルであって、該ノード・エレメントが該接続ポートから該ノード・エレメントの物理的特徴の情報を受け取り、該物理的特徴が少なくとも一つの変化している特徴を含む、コンピュータ・ユニットを備えるものである物理的モデルと、
コンピュータ・システムに記憶されたバーチャル・モデルと
を含んでなるモデル・システムを提供するステップと、
前記物理的モデルから前記バーチャル・モデルへと該ノード・エレメントの物理的特徴の情報を電子的に提供するステップと
を含んでなる、バーチャル・モデルに物理的情報を組み込む方法。